(57)【要約】      （修正有）【課題】単数のオモリで、根掛かりから脱出率をもたせながら、水底での着底感を維持し、且つ飛距離が期待できる応用範囲の広いオモリと、市販のオモリに根掛かり回避機能を持たせられるオモリカバーを提供する。【解決手段】オモリの先端部の根掛かりからの脱出手段として、その根掛かり状態から釣り糸が引かれることにより本考案のオモリの後部が前方へ屈曲し、根掛かりした先端部をオモリ後部が扁平に変形することと、根掛かりしたオモリ先端部が持ち上げられることでオモリの先端部の根掛からの脱出を可能とさせており、またオモリの後部が根掛かりを起こした場合にも、オモリの後部が前方へ屈曲し始めることでオモリと岩との摩擦点の摩擦も緩和し、オモリ後部の根掛かりからの脱出を可能とさせた。よって単数の金属オモリのみで、オモリの先端部及びオモリの最大直径部分という２つ根掛かり最大要因からのオモリの脱出を可能とした。【選択図】図１
2008263939.tif 000002
【特許請求の範囲】
【請求項１】
先端に釣り糸を通すための孔を設けられた円錐状の先端部と、合成樹脂に覆われた金属性オモリが前記素材に内包されたオモリ重心部と、その二つの部位をつなぐ円柱形状の連結部の３つの部位で構成されていて、連結部は弾力性及び伸縮性を持つ合成樹脂または合成ゴムで形成され、前記オモリ重心部後端に釣り糸をつなぐための冠もしくは部位が設けられているオモリであり、釣り糸を第１の孔に通した後に前記釣り糸をつなぐための前記冠もしくは部位に結び、この本考案のオモリの先端部もしくは前記後部オモリ重心部が根掛かりを起こした場合に、釣り糸が引かれることで前記後部オモリ重心部が前記先端部方向に９０度以上の屈曲を可能とさ、釣り糸を緩めると前記素材の特性により元の形状に復元されることを特徴としたオモリ
【請求項２】
市販のオモリを後端から挿入可能とするために金属性オモリが内包されず、前記後部オモリ重心部の外側を覆う前記素材の後端の上下に２つの孔を設け、市販のオモリを後端から挿入後その２つの孔に釣り糸を通して結ぶことによって、後端が閉じられることを特徴とした請求項１のオモリカバー
【請求項３】
先端の孔と金属オモリ後端もしくは、覆われる前記素材にその釣り糸をつなぐための冠もしくは部位を設けず、先端から後端まで空洞を設け、摩擦に強い糸もしくはステンレスワイヤーをその空洞に通した後にオモリ全体が変形しない長さでつながれ、前記摩擦に強い糸もしくはステンレスワイヤーに釣り糸をつなぐことで使用することを特徴とした請求項１のオモリ
【請求項４】
前記先端部から通された釣り糸が、前記オモリ重心部の冠もしくは部位に結ばれた時に、その釣り糸が前記オモリ重心部の凸部と岩に挟まれる場合の摩擦を防ぐために、前記オモリ重心部にその釣り糸が入り込める溝を設けた請求項１のオモリ
【発明の詳細な説明】
【発明の詳細な説明】
【発明分野】
【００１】  釣り具
【背景技術】
【００２】  従来の根掛かりを防止及び根掛かりからオモリを脱出させる考案として、オモリ本体の最大直径部分が根掛かりの原因だとして考案されたものが多く、それらは極力オモリの凸部を無くすためにオモリを分割してつなぎ、オモリ全体に柔軟性を持たせることによって根が掛かりさせにくい構造とする考案（特許公開２００２−３６０１３９、特許公開２００１−２７５５３５、特許公開２００５−２７８６１６）であるが、鉛がむき出しであるため鉛の表面の岩との接触により鉛表面に凹凸や変形が起き、使用頻度を重ねる度に根掛かりを発せさせる頻度が増してくる。このようなオモリ全体を細長い形状とすることは、それだけ狭い隙間の溝にもはまり込んでしまうという可能性も高まり、釣り場によっては凹凸の細かな水底もあり、オモリの表面形状に凹凸が多い分だけむしろ根掛かりを多発させる可能性も高まる。また岩との接触による鉛の凹凸や変形を防ぐために、つながれた鉛の表面や先端部を合成樹脂や合成ゴム素材で覆うことによって根掛かりを防止するという考案（特許公開２０００−５０７７５、特許公開２０００−１７５６０５、登録実用新案第３１０２７３８号、登録実用新案第３１０２７３８号、特許公開平１０−９４３５４）もあるが、しかしそれらの考案は空中で空気抵抗を大きく受けることで投げられた場合に横風を受けやすく飛距離が伸びないという問題点や水底においては流されやすいという問題点もあり限られた釣り方及び限定した釣り方でしか使用に向かず応用範囲の広いオモリとは言い難い。また、それらの考案のオモリであっても根掛かりを回避できない場合も多々存在し、その原因の多くは、大きな岩と岩とが重なり合うことによってできるＶ字型の溝にオモリより先に釣り糸が先に入り込み、且つその岩の大きさがオモリ全体がぶら下がるような高さの場合、その後に釣り糸が引かれることによって、オモリの先端部がそのＶ字型の溝にはまり込むと外れない根掛かりが引き起こされるのである。オモリの本体部分の根掛かり回避においては有効な考案であっても、オモリの先端部分が根掛かりを発生させてしまった場合には、その状態からは根掛かりからの脱出は難しい場合が多いという問題点をもつ。一方、オモリの先端部の根掛かりに着目した考案（特許出願２００１−４０２５８１）においては、直径の大きな後部から連続して引き寄せられるため、かえって根掛かりの原因を増やしてしまう問題点がある。また、オモリの後部から反転させることでオモリの根掛かり脱出を図る考案（登録実用新案第３０６０２３８）においては、溝が真上になっている場合でしかその効果は期待できず、前記Ｖ字型の溝に釣り糸が先に入り込むと、むしろ溝が横になる可能性の方が高く、その場合釣り糸に対しＴの字となってかえって外れない根掛かりを起こす問題点がある。いずれにしても従来の根掛かりを回避する目的での考案のオモリは、機能としては有効であり環境保全を考慮した考案であるが、独自に製作したオモリを販売、普及させるという手法でしか一般市場に普及させる手立ては無く、製造から普及までにコストと時間を要し、且つ限定された釣り方でしか応用のできない問題点がある。また、すでに市販、普及されてしまったオモリに根掛かりからの脱出���能を持たせるという考案でも無い。
【発明が解決しようとする課題】
【００３】  よって本考案では、従来の技術以上に根掛かりから回避する機能を有しながら、且つ従来の技術以上に空気抵抗を受けにくく、水底でも流されにくい構造のオモリと、またすでに市販、普及されてしまったオモリに根掛かりからの脱出機能を持たせられるようなオモリのカバーの考案を課題とした。そして釣り用だけではなく漁獲用の網のオモリにも応用可能なオモリ及びカバーの考案を課題とした。しかし、従来の技術以上に根がかり回避の確率を向上させられたとしても、製造コストが従来の技術以上のコストとなってしまっては普及に歯止めが掛かってしまうため、従来の技術の考案よりも安価で製造及び普及に即効性の有る構造とすることも課題とした。従来の技術による根掛かり回避の考案の問題点は、オモリを分割してつなぐあるいは分割して合成樹脂や合成ゴムで覆うなど、明らかに単数のオモリより高価な製造コストとなることが明白であり、またオモリを分割してつなぐという構造は、根掛かり回避には有効な方法であったとしても投げた場合には横風を受けやすくオモリを遠投するという釣り方には向かず、水底でも流れやすいという問題点もあるため、非常に限られた釣り方でしか使用に向かない構造であり結果的に広い普及も難しくなる問題点がある。根掛かりを回避する考案の本来の目的は、できるだけ根掛かりによる環境に悪影響とされる鉛素材のオモリの紛失を防ぐことであり、環境保全につなげることが目的であるから、最も多くの釣り方に使用されるオモリに求められる基本機能を満たした上で、根掛かり回避の構造とすることが必要である。最も多くの釣り方に使用されるオモリに求められる基本機能とは、投げては飛距離が出ること、沈めては比重が可能な限り維持できて流されにくいことであって、その基本機能を有しながら、且つ根掛かりか回避の機能も有する構造で無ければ幅広く普及することは難しくなる。よって幅広く普及できる構造で無ければ量産もできず、安価な製造も不可能となってくるという悪循環になってしまうことが問題点である。従って本考案では、多種の釣り方やより多くの釣り人口に使用されるように、オモリに求められる基本機能も有した上で根掛かり回避率を従来の技術以上に向上させることが最大の目的である。本考案ではオモリの主な根掛かりの原因を、オモリの先端部分が根掛かりを起こす場合と、オモリの最大直系部分での根掛かりを起こす場合の２つの部位が根掛かりを多発させる大きな原因とし、そしてその２ヶ所が根掛かりした場合に、その根掛かりからオモリを脱出させることができれば従来の技術以上の根掛かりからの脱出率とできると判断した。何故ならば、根掛かりを回避できるとする考案では、オモリ本体部分の根掛かりにおいては有効であっても、オモリ先端部の根掛かりを避けられない構造を持っているからである。また、すでに釣り人が持ち合わせている鉛オモリに本考案の機能を持たせることが環境保全に最も即効性があると考え、市販のすでに普及されてしまっている鉛素材のオモリに、根掛かり回避の機能を持たせられるオモリカバーの構造であることも課題とした。そのことにより釣り用だけでなく、漁獲用の網で使用される鉛素材オモリにも本考案が転用可能な物となると判断した。
【課題を解決するための手段】
【００４】  本考案が判断したオモリの最も多い根掛かり原因は、オモリの先端部とオモリの最大直径部分の根掛かりで引き起こされ、それを回避できれば従来の技術以上に根掛かりを回避できるとしたが、まずオモリの先端部の根掛かり要因を解明すると、岩と岩の間にできるＶ字型の隙間に釣り糸が最初に入り込み、その後に釣り糸が引かれることでオモリの先端部が岩と岩の間にできるＶ字型の隙間に挟まれることによって先端部の外れにくい根掛かりが発生する。まずはオモリの先端部の根掛かりについてであるが、岩に海草やぬめりのまったく付着していない滑りにくい岩の表面や、あるいは水中でなくとも地上でのテトラとテトラや、岩と岩との隙間にオモリの先端部が挟み込まれる状況下では、先端部が弾力性、伸縮性をもつ素材で形成されたほうが岩とオモリの接触点の摩擦力に変化を与えやすく、釣り糸を引いたり緩めたりの動作をすることによって、岩と先端部の摩擦に変化を起こさせ易く根掛かりからの先端部の脱出させられる可能性が高まる。本考案でのオモリの先端部が根掛かりした場合のオモリ先端部の脱出方法は図２であるが、本考案のオモリの先端部が根掛かりを起こすと、先端部が弾力性と伸縮性を持つ合成樹脂素材で形成されているため、釣り糸（１）が引かれることで後部から屈曲してきたオモリの重心部（５）の凸部が先端部を下方に上部から押すことによって先端部（２）を扁平に変形させ、先端部の岩との接触点の摩擦面が広がり摩擦が緩和され先端部の根掛かりからの脱出確立を向上させる構造とした。これはオモリの先端部（２）とオモリの重心部（５）が接触できる場合であるが、先端部は入り込めてもオモリ重心部は入り込めないＶ字型の溝の狭い根掛かり状態も想定される。その場合であってもオモリの先端部を根掛かりから外すことのできる仕組みを図３により説明すると、この図はこの考案のオモリの先端部が根掛かりした場合の正面からの図であるが、釣り糸（１）を引くと、オモリ後部（５）がオモリ先端方向への屈曲を始めるが、オモリの先端部（２）及び連結部（４）の外径よりオモリ重心部（５）の外径のほうが大きい構造としているので、オモリ重心部（５）は先端部が入り込んだ溝の深さまで入り込めない。よってその状態から釣り糸が引かれると根掛かりを起こした先端部は根掛かりから上方に持ち上げられて根掛かりから脱出可能となる。また、どのようなオモリであってもどのような根掛かり状態であっても、根掛かりしたオモリを外す最良の方法は、釣り糸で引いてきた方向とは逆方向、いわゆる後方に引き戻すことであり、本考案のオモリもその根掛かりを外すための動作と同様な結果を期待できる。その原理は、本考案のオモリの先端部が根掛かりを起こした場合に、瞬間的に釣り糸を引き瞬間的に釣り糸を緩めるという動作を行うと、屈曲部分には弾力性、伸縮性のある素材を使用しているため元の形状に復元しようとする反発力が生まれるが、このオモリ全体の重さの重心がオモリ全体の後部に有るため、屈曲が戻されると同時にオモリ全体が後方へ跳ね戻される力がはたらくことで、先端部も後方へ引かれ、先端部の根掛かりからの脱出確立を向上させることができる。そしてそれが従来の技術の根掛かり回避できるとする考案のオモ���と本考案との大きな相違点であり、本考案のみが持ち合わせる機能であり利点である。次に根掛かりの発生の最も大きな原因となるオモリの最大直径部分での本考案の根掛かり脱出の仕組みについて図４で説明すると、本考案のオモリの最大直径部分が根掛かりを起こした場合には、釣り糸が引かれるとオモリ重心部が前方へ屈曲を始め、摩擦を起こしているオモリと岩との接触面も上方から前方へと移動を始めるが、そのことにより摩擦面の摩擦力が緩和されることでオモリの最大直径部分の根掛かりからの脱出を可能とさせた。従来の考案でのオモリの最大直径部分の根掛かりからの脱出の考案（特開２００３−２８９７７３）もあるが、表面のゴム状素材を伸ばすことによって摩擦の低減を図る考案であり、引かれる釣り糸にゴム状素材を引き伸ばすだけの強度が必要になる。しかし、本考案では屈曲させられる釣り糸の強度であれば良く、より小さな引かれる力で根掛かり回避ができることとなり、それは前記考案より使用する釣り糸の強度が弱くても良いことにつながり、より多様な釣り方に使用可能なオモリの構造となる。
【発明の効果】
【００５】  この考案のオモリ及びオモリカバーは、従来の技術での根掛かりを回避できる考案のオモリであっても根掛かりを起こすオモリの先端部が引き起こす根掛かりを、本考案によって従来以上に向上させることができた。更にこの考案のオモリは根掛かりからの脱出の機能を有しながら、オモリを分割してつなぐ、あるいは分割してケースに内蔵するという方法を取らず、単数の金属オモリを使用することのみで根掛かりからの脱出を可能とする構造とできたため、従来の技術以上に飛距離が伸び、且つ水底においても流されにくい構造とすることができた。また本考案のオモリが投げられる瞬間においては、一旦は屈曲してもすぐに元の形状に復元されるから飛行姿勢が安定する。この考案のオモリは、製造するにあたってオモリを分割するという製造方法を取らないため、製造コストも従来の考案より安価で製造可能となり、多くの釣り人がオモリに求める基本機能の、飛距離が出て水底で安定するという構造を満たしているから、この考案のオモリを使用する対象の人口が多いため、市場規模も広く、量産によって更に製造コストも低価格に抑えられる可能性も高い。また水底での比重を従来の技術以上維持できるため、釣り用だけでなく漁獲用の網に用いるオモリにも応用可能な構造とでき、更にすでに普及されてしまった鉛オモリにも本考案のカバーを装着することによって、本考案のオモリと同等の根掛かりからの脱出機能を持たせられるこどができるから、環境保全に即効性を持つ考案とすることができた。従来の根掛かりを回避きる考案のオモリより価格が抑えられ、根掛かりでのオモリの紛失率が大幅に改善されることによって、環境に悪影響とされる鉛素材を使用するオモリから、環境にやさしい素材である鉄やタングステンを使用することで、環境にやさしいオモリを普及させられる可能性も高くなる。
【発明を実施するための最良の形態】
【００６】  図１では、内蔵されるオモリの形状が球状としているが、根掛かりからの脱出において最大限に屈曲する以前に根掛かりから脱出する場合が多く、内包されるオモリの形状は後部に重心を置いた雫型でも良く、また水流で流さないことを優先するために表面が曲面でなくとも水平面を持つ形状のオモリを内包する形状でも良いとする。製造方法の第１としては、ゴム状のチューブの先端に、弾力性及び伸縮性の素材でできた先端部をキャップ式で連結部と接合できる構造として、ゴム状チューブの後部から冠の設けられた金属塊を挿入した後、後部を接着し完成となる。ただ、孔（３）の出口から連結部の後部までの長さは理想的な長さ、内包される金属オモリの直径や長さよって連結部の長さは決定され、釣り糸（１）が引かれてオモリ全体が最大限に屈曲した場合に、孔（３）の出口とオモリの重心部の後端が接触しない長さであることが理想的であり、この考案の重要な部分である。もしも、孔（３）の出口とオモリの重心部の後端が、釣り糸が引かれることで容易に接触してしまうような長さだとするならば、連結部の弾力性、伸縮性の利点を生かしきれないからである。本考案のオモリ後端には、内包される金属オモリに直接釣り糸が結ばれる冠を設けても良いし、金属性オモリが覆われる素材に釣り糸を結ぶ為の凸部を設ける、もしくはその凸部に孔を設けて、その孔に金属製の釣り糸を結ぶためのリングを設ける構造でも良い。ゴム状チューブでは連結部に弾力性、伸縮性が不足する場合は、先端部と金属オモリの間に、円柱状の弾力性及び伸縮性を補強する部材を挿入することで解決できる。先端部の素材には弾力性及び伸縮性がある素材で形成されることが理想的であるが、大重量のオモリの場合や水底の岩との接触回数の頻度の少ないオモリを直下に落とすという舟釣りの場合などには、硬質な合成樹脂製で先端部の形成されるほうが良い場合もあり、実施例とする。もう一つの製造方法は、オモリの先端部と連結部を、弾力性、伸縮性のある素材で一貫成形した上で、後部に冠が設けられた金属塊とともに、更に全体を弾力性、伸縮性のある素材でラバーコートする方法であり、この方法は量産に向いている。そして本考案のオモリの基本機能としては、後部オモリ重心部が釣り糸で引かれることで、回転をしながら前方へ屈曲可能にさせることが特徴であるが、釣り糸を結ぶ冠もしくは部位がオモリの後端に限定した位置にある必要は無く、後部オモリ重心部の連結部からわずかに間隔をおいた位置に設けても同機能を有させることが可能であり実施例とする。請求項２のオモリカバーについては図５であり、金型に市販のオモリが後部から挿入できる空洞を設け、後部にハトメ等で閉じられる部位を当初から金型としておき、そして弾力性及び伸縮性のあるゴム状素材を流し込むことで容易に製造できる。請求項３のオモリもこの方法で、このオモリの金型に金属オモリの空洞に棒状の芯を通した上で、本考案に基づく金型に置き、その後表面を覆うための弾力性、伸縮性のあるある素材を流し込んだ後、その芯を引き抜く方法を取れば胴体部分を別途製作する必要も無くなり手間も省かれる。請求項４の場合は、内包される金属オモリに釣り糸が入り込める溝を事前に設けておいた上でラバ���コートする方法で実施できるが、この釣り糸が入り込める溝の深さ及び長さも後部オモリ重心部の後端まで設けなくとも、あるいはその溝が直線状に設けられなくともオモリの屈曲は可能であり、その場合も実施例とする。このオモリの根掛かりから脱出させるために必要な基本構造は、現状の弾力性、伸縮性のある合成ゴム状素材の成形技術ならば、製造になんら困難な問題は発生せず、安価なコストで製造可能だと言える。
【図面の簡単な説明】
【図１】このオモリの断面図及び使用例  （１）は、釣り糸（２）は、先端部（３）は、釣り糸が通される孔（４）は、連結部（５）は、内包される金属オモリ（６）は、釣り糸が結ばれる冠
【図２】オモリの先端部の根掛かりからの脱出例  （１）は、釣り糸（２）は、先端部（３）は、釣り糸が通される孔（４）は、岩（５）は、内包される金属オモリ（６）は、釣り糸が結ばれる冠
【図３】オモリの後部が入り込めない場合の、先端部の根掛かりからの脱出例の正面図  （１）は、釣り糸（２）は、先端部（３）は、岩（４）は、連結部（５）は、内包される金属オモリ（６）は、釣り糸が結ばれる冠（７）は、岩
【図４】オモリ後部の従根掛かりからの脱出例  （１）は、オモリ後部の最初の根掛かり位置（２）は、根掛かり接触点の移動方向（３）は、岩
【図５】請求項２の実施例  （１）は、市販のオモリが挿入可能なカバー（２）は、市販のオモリ（３）は、カバーの上下に設けられた孔
【図６】請求項３の実施例  （１）は、釣り糸（２）は、摩擦に強い釣り糸もしくはステンレスワイヤー（３）は、オモリ全体を覆う弾力性、伸縮性をもつ合成樹脂もしくは合成ゴム（４）は、摩擦に強い釣り糸もしくはステンレスワイヤーを通すための空洞が設けられた金属製オモリ
【図７】請求項４の、岩とオモリの最大直径部分の間に釣り糸が挟まれた場合の、摩擦切れを防止するための実施例  （１）は、釣り糸（２）は、連結部（４）は、釣り糸が通される溝
【図１】
2008263939.tif 000003
【図２】
2008263939.tif 000004
【図３】
2008263939.tif 000005
【図４】
2008263939.tif 000006
【図５】
2008263939.tif 000007
【図６】
2008263939.tif 000008
【図７】
2008263939.tif 000009